(57)【要約】【課題】本発明は、サーバー背板部材及び組合せサーバー背板を提供することを目的とする。【解決手段】本発明のサーバー背板部材は、板本体と、板本体の一方側の面に設置される第一コネクターと、板本体における一方側の反対側の他方側の面に設置され且つハードディスクを接続するために用いられる第二コネクターと、を備え、板本体の第一側辺には第一ボードエッジコネクターが設置され、板本体における第一側辺の反対側の第二側辺には第一ソケットが設置され、第一ボードエッジコネクターは、第一ソケットに電気的に接続されると共に第二コネクターの電源インターフェースに電気的に接続され、第一ボードエッジコネクター及び第一ソケットの寸法は互いに対応している。本発明は、さらに組合せサーバー背板を提供する。【選択図】図１
2014102824.tif 000002
【特許請求の範囲】
【請求項１】
板本体と、前記板本体の一方側の面に設置される第一コネクターと、前記板本体における前記一方側の反対側の他方側の面に設置され且つハードディスクを接続するために用いられる第二コネクターと、を備えるサーバー背板部材であって、
前記板本体の第一側辺には第一ボードエッジコネクターが設置され、前記板本体における前記第一側辺の反対側の第二側辺には第一ソケットが設置され、前記第一ボードエッジコネクターは、前記第一ソケットに電気的に接続されると共に前記第二コネクターの電源インターフェースに電気的に接続され、前記第一ボードエッジコネクター及び前記第一ソケットの寸法は互いに対応していることを特徴とするサーバー背板部材。
【請求項２】
前記板本体の一方側の面には電源コネクターが設置され、前記電源コネクターは、前記第一ボードエッジコネクター、前記第一ソケット及び前記第二コネクターの電源インターフェースに電気的に接続されることを特徴とする、請求項１に記載のサーバー背板部材。
【請求項３】
前記板本体は長方形であり、前記第一ボードエッジコネクターと前記第一ソケットとの中心の接続線は前記第一側辺に対して垂直であることを特徴とする、請求項２に記載のサーバー背板部材。
【請求項４】
前記板本体における前記第一側辺に対して垂直な第三側辺には、前記第一ボードエッジコネクターと同じ構造を有する第二ボードエッジコネクターが設置されることを特徴とする、請求項３に記載のサーバー背板部材。
【請求項５】
前記板本体における前記第三側辺の反対側の第四側辺には、前記第一ソケットと同じ構造を有する第二ソケットが設置され、前記第二ソケットと前記第二ボードエッジコネクターは電気的に接続されることを特徴とする、請求項４に記載のサーバー背板部材。
【請求項６】
前記第一ボードエッジコネクター及び前記第二ボードエッジコネクターはそれぞれ、前記板本体に設置される差込部を備え、前記差込部における互いに反対側の２つの表面には、複数の導電シートが設置され、
前記第一ソケット及び前記第二ソケットはそれぞれ、ソケット本体及び複数の金属シートを備え、前記ソケット本体には、前記ソケット本体の一端において開口した収容空間が形成されており、複数の前記金属シートの一端は、前記収容空間を形成する対向する２つの側壁に均一に設置され、複数の前記金属シートの他端は前記ソケット本体の他端から延出し、且つ前記板本体に溶接されて対応する前記ボードエッジコネクターに電気的に接続されることを特徴とする、請求項５に記載のサーバー背板部材。
【請求項７】
前記第一ボードエッジコネクター及び前記第二ボードエッジコネクターはそれぞれ８つの導電シートを備え、前記第一ソケット及び前記第二ソケットはそれぞれ８つの金属シートを備え、前記第一ボードエッジコネクターの８つの導電シートは、前記第一ソケットの８つの金属シートに対応して電気的に接続され、前記第二ボードエッジコネクターの８つの導電シートは、前記第二ソケットの８つの金属シートに対応して電気的に接続されることを特徴とする、請求項６に記載のサーバー背板部材。
【請求項８】
第一サーバー背板部材及び第二サーバー背板部材を備え、前記第一サーバー背板部材及び前記第二サーバー背板部材はそれぞれ、板本体と、前記板本体の一方側の面に設置される第一コネクターと、前記板本体における前記一方側の反対側の他方側の面に設置され且つハードディスクを接続するために用いられる第二コネクターと、を備え、
前記第一サーバー背板部材の板本体の第一側辺には第一ソケットが設置され、前記第二サーバー背板部材の板本体における第一側辺の反対側の第二側辺には第一ボードエッジコネクターが設置され、前記第一ボードエッジコネクター及び前記第一ソケットの寸法は、前記第二サーバー背板部材の第一ボードエッジコネクターを前記第一サーバー背板部材の第一ソケットに差し込むことができるように、互いに対応していることを特徴とする組合せサーバー背板。
【請求項９】
前記第一サーバー背板部材の一方側の面には第一電源コネクターが設置され、前記第一電源コネクターは、前記第一サーバー背板部材の他方側の面に設置された第二コネクターの電源インターフェースに接続され且つ前記第一サーバー背板部材の第一側辺の第一ソケットに電気的に接続され、前記第二サーバー背板部材の第二側辺の第一ボードエッジコネクターは、前記第二サーバー背板部材の他方側の面に設置された第二コネクターの電源インターフェースに接続されることを特徴とする、請求項８に記載の組合せサーバー背板。
【請求項１０】
前記組合せサーバー背板は、第三サーバー背板部材及び第四サーバー背板部材をさらに備え、前記第一サーバー背板部材における第一側辺に垂直な第三側辺には、第二ボードエッジコネクターが設置され、前記第二サーバー背板部材における第二側辺に垂直な第三側辺には、第三ボードエッジコネクターが設置され、前記第三サーバー背板部材における前記第三側辺の反対側の第四側辺には、前記第一サーバー背板部材の第二ボードエッジコネクターを収容するための第二ソケットが設置され、前記第四サーバー背板部材における前記第三側辺の反対側の第四側辺には、前記第二サーバー背板部材の第三ボードエッジコネクターを収容するための第三ソケットが設置されることを特徴とする、請求項９に記載の組合せサーバー背板。
【請求項１１】
前記第一ボードエッジコネクター、前記第二ボードエッジコネクター及び前記第三ボードエッジコネクターはそれぞれ差込部を備え、前記差込部における互いに反対側の２つの表面には複数の導電シートが設置され、前記第一ソケット、前記第二ソケット及び前記第三ソケットはそれぞれソケット本体及び複数の金属シートを備え、前記ソケット本体には、前記ソケット本体の一端において開口した収容空間が形成されており、複数の前記金属シートの一端は、前記収容空間を形成する対向する２つの側壁に均一に設置され、複数の前記金属シートの他端は前記ソケット本体の他端から延出し、且つ前記本体に溶接されて対応する前記ボードエッジコネクターに電気的に接続されることを特徴とする、請求項１０に記載の組合せサーバー背板。
【請求項１２】
前記第一ボードエッジコネクター、前記第二ボードエッジコネクター及び前記第三ボードエッジコネクターはそれぞれ８つの導電シートを備え、前記第一ソケット、前記第二ソケットは及び前記第三ソケットはそれぞれ８つの金属シートを備え、前記第一ボードエッジコネクターの８つの導電シートは、前記第一ソケットの８つの金属シートに対応して電気的に接続され、前記第二ボードエッジコネクターの８つの導電シートは、前記第二ソケットの８つの金属シートに対応して電気的に接続され、前記第三ボードエッジコネクターの８つの導電シートは、前記第三ソケットの８つの金属シートに対応して電気的に接続されることを特徴とする、請求項１１に記載の組合せサーバー背板。
【請求項１３】
前記第三サーバー背板部材の一方側の面には第二電源コネクターが設置され、前記第二電源コネクターは、前記第三サーバー背板部材の第二ソケットに電気的に接続されることを特徴とする、請求項１０〜１２のいずれの一項に記載の組合せサーバー背板。
【発明の詳細な説明】
【技術分野】
【０００１】
本発明は、サーバー背板部材及び組合せサーバー背板に関するものである。
【背景技術】
【０００２】
サーバーにおいてハードディスク背板はなければならない部品である。ハードディスク背板によって接続された複数のハードディスクは、ハードディスクアレイを構成する。
【発明の概要】
【発明が解決しようとする課題】
【０００３】
しかし、１Ｕのサーバー、２Ｕのサーバーのような異なる類型のサーバーが要求するハードディスク背板は異なるので、背板を改めて設計して対応する類型のサーバーに適用する必要があり、設計及び製造コストを増加する。
【０００４】
本発明の目的は、前記課題を解決し、異なる類型のサーバーに利用することができるサーバー背板部材及び組合せサーバー背板を提供することである。
【課題を解決するための手段】
【０００５】
本発明に係るサーバー背板部材は、板本体と、板本体の一方側の面に設置される第一コネクターと、板本体における一方側の反対側の他方側の面に設置され且つハードディスクを接続するために用いられる第二コネクターと、を備え、板本体の第一側辺には第一ボードエッジコネクターが設置され、板本体における第一側辺の反対側の第二側辺には第一ソケットが設置され、第一ボードエッジコネクターは、第一ソケットに電気的に接続されると共に第二コネクターの電源インターフェースに電気的に接続され、第一ボードエッジコネクター及び第一ソケットの寸法は互いに対応している。
【０００６】
本発明に係る組合せサーバー背板は、第一サーバー背板部材及び第二サーバー背板部材を備え、第一サーバー背板部材及び第二サーバー背板部材はそれぞれ、板本体と、板本体の一方側の面に設置される第一コネクターと、板本体における一方側の反対側の他方側の面に設置され且つハードディスクを接続するために用いられる第二コネクターと、を備え、第一サーバー背板部材の板本体の第一側辺には第一ボードエッジコネクターが設置され、第二サーバー背板部材の板本体における第一側辺の反対側の第二側辺には第一ソケットが設置され、第一ボードエッジコネクター及び第一ソケットの寸法は、第一サーバー背板部材の第一ボードエッジコネクターを第二サーバー背板部材の第一ソケットに差し込むことができるように、互いに対応している。
【発明の効果】
【０００７】
本発明によれば、サーバー背板部材同士を容易に組み合わせることができ、そして、その組み合わせるサーバー背板部材の数を変更することで、異なる組合せサーバー背板を形成することができ、異なる類型のサーバーにおける異なる数量のハードディスクに接続することができる。よって、対象のサーバーの類型に応じて、サーバー背版部材を適宜組み合わせればよく、設計及び製造コストを大幅に低減させことができる。
【図面の簡単な説明】
【０００８】
【図１】本発明の実施形態に係るサーバー背板部材の斜視図である。
【図２】図１に示すサーバー背板部材の別の視角から見た斜視図である。
【図３】図１に示すサーバー背板部材のソケットの斜視図である。
【図４】２つの図１に示すサーバー背板部材を１Ｕのサーバーに取り付けたことを示す図である。
【図５】４つの図１に示すサーバー背板部材を２Ｕのサーバーに取り付けたことを示す図である。
【発明を実施するための形態】
【０００９】
以下、図面を参照して、本発明の実施形態について説明する。
【００１０】
図１及び図２を参照すると、本発明の実施形態に係わるサーバー背板部材９０は、長方形の板本体１００を備える。板本体１００の一方側の面（第一面９００）には、１つの第一コネクター１０４が設置され、板本体１００の他方側の面、すなわち、板本体１００における第一面９００の反対側の面（第二面９０１）には、複数（４つ）の第二コネクター１０６が設置され、第一コネクター１０４は、４つの第二コネクター１０６にそれぞれ電気的に接続される。本実施形態において、第一コネクター１０４はＭｉｎｉＳＡＳ（Ｍｉｎｉ  Ｓｅｒｉａｌ  Ａｔｔａｃｈｅｄ  ＳＣＳＩ）コネクターであり、第二コネクター１０６は、ＳＡＳ（Ｓｅｒｉａｌ  Ａｔｔａｃｈｅｄ  ＳＣＳＩ）コネクターである。第二コネクター１０６は、電源インターフェース６０及び信号インターフェース６１を備える。第一コネクター１０４及び第二コネクター１０６は、それぞれ公知のコネクターであるので、それらの具体的な構造に関する詳しい説明は省略する。
【００１１】
板本体１００は、第一側辺７００、第二側辺７０１、第三側辺７０２及び第四側辺７０３を備える。第一側辺７００の中間部には凹部７０４が形成され、凹部７０４の中間部からボードエッジコネクター１０１が突出して形成され、ボードエッジコネクター１０１の高さ（突出長さ）は凹部７０４の深さ（奥行き）以下である。ボードエッジコネクター１０１は、差込部１０及び差込部１０の表面に設置された複数の導電シート１１を備える。本実施形態において、ボードエッジコネクター１０１は、差込部１０の両側の表面に均一に設置される８つの導電シート１１を備える。
【００１２】
板本体１００における第一側辺７００の反対側の第二側辺７０１には、ソケット１０５が設置される。図３を参照すると、ソケット１０５は、ソケット本体５０及び複数の金属シート５１を備える。ソケット本体５０には、ソケット本体５０の一端において開口した収容空間５２が形成されており、収容空間５２は他のサーバー背板部材９０の第一側辺７００のボードエッジコネクター１０１を差し込むために用いられる。複数の金属シート５１の一端は、収容空間５２を形成する対向する２つの側壁に均一に設置され、複数の金属シート５１の他端はソケット本体５１の他端から延出している。本実施形態において、ソケット１０５は８つの金属シート５１を備え、８つの金属シート５１はボードエッジコネクター１０１の８つの導電シート１１に対応して電気的に接続され、８つの金属シート５１は溶接方式によって板本体１００の第一面９００及び第二面９０１に固定される。ソケット１０５とボードエッジコネクター１０１の中心の接続線は第三側辺７０２に平行する。
【００１３】
板本体１００の第三側辺７０２にはボードエッジコネクター２０２が設置され、第三側辺７０２の反対側の第四側辺７０３にはソケット２０５が設置される。ボードエッジコネクター２０２の構造は、ボードエッジコネクター１０１の構造と同じであり、ソケット２０５の構造は、ソケット１０５の構造と同じである。ボードエッジコネクター２０２とソケット２０５の中心の接続線は第一側辺７００に平行する。ボードエッジコネクター２０２の８つの導電シート１１は、ソケット２０５の８つの金属シート５１に対応して電気的に接続される。
【００１４】
板本体１００の第一面９００には、電源コネクター１０２が設置される。電源コネクター１０２は、ボードエッジコネクター１０１、２０２の導電シート１１、ソケット１０５、２０５の金属シート５１及び板本体１００の第二面９０１に設置される第二コネクター１０６の電源インターフェース６０に対応して電気的に接続される。即ち外部電源が電源コネクター１０２に接続される場合、電源コネクター１０２は、ボードエッジコネクター１０１、２０２、ソケット１０５、２０５及び第二コネクター１０６に接続される電子素子に作動電圧を提供する。他の実施形態において、電源コネクター１０２、ソケット１０５、２０５及びボードエッジコネクター１０１、２０２は、実際の需要に応じて選択的に取り付けたり省いたりすることができ、ボードエッジコネクター１０１とソケット１０５の寸法は互いに対応しており、複数のサーバー背板部材９０を組み合わせて容易に拡張することができる。
【００１５】
図４は、本発明に係わる２つのサーバー背板部材を１Ｕサーバー８０の内部の８つのハードディスク８１に接続することを示す図である。本実施形態において、２つのサーバー背板部材は参照符号９０２、９０３で示しており、２つのサーバー背板部材９０２、９０３の高さ（第一側辺７００と第二側辺７０１との間隔）は１Ｕサーバー８０の高さと同じである。１Ｕサーバー８０にサーバー背板部材を取り付ける際、８つのハードディスク８１はそれぞれ、サーバー背板部材９０２及びサーバー背板部材９０３が備える８つの第二コネクター１０６に差し込まれる。２つのサーバー背板部材９０２、９０３は直列に並べて配置されており、一方のサーバー背板部材９０２の第四側辺７０３のソケット２０５の中には、他方のサーバー背板部材９０３の第三側辺７０２のボードエッジコネクター２０２が差し込まれる。外部電源が一方のサーバー背板部材９０２の電源コネクター１０２に差し込まれると、電源コネクター１０２は、一方のサーバー背板部材９０２の第二面９０１に接続された４つのハードディスク８１に電力を供給し、且つ一方のサーバー背板部材９０２の第四側辺７０３に設置されたソケット２０５及び他方のサーバー背板部材９０３の第三側辺７０２に設置されたボードエッジコネクター２０２によって、他方のサーバー背板部材９０３の第二面９０１の４つの第二コネクター１０６に接続された４つのハードディスク８１に作動電圧を提供する。他の実施形態において、一方のサーバー背板部材９０２の第一側辺７００に設置されたボードエッジコネクター１０１及び第三側辺７０２に設置されたボードエッジコネクター２０２は省くことができる。
【００１６】
図５は、本発明に係わる４つのサーバー背板部材を２Ｕサーバー８２の内部の１６つのハードディスク８１に接続することを示す図である。本実施形態において、４つのサーバー背板部材は参照符号９０４、９０５、９０６、９０７で示している。第一サーバー背板部材９０４の第四側辺７０３のソケット２０５の中には、第二サーバー背板部材９０５の第三側辺７０２のボードエッジコネクター２０２が差し込まれ、第一サーバー背板部材９０４の第一側辺７００のボードエッジコネクター１０１は、第三サーバー背板部材９０６の第二側辺７０１のソケット１０５に差し込まれる。第二サーバー背板部材９０５の第一側辺７００のボードエッジコネクター１０１は、第四サーバー背板部材９０７の第二側辺７０１のソケット１０５に差し込まれ、第四サーバー背板部材９０７の第三側辺７０２のボードエッジコネクター２０２は、第三サーバー背板部材９０６の第四側辺７０３のソケット２０５に差し込まれる。外部電源は第一サーバー背板部材９０４又は第三サーバー背板部材９０６の第一面９００に設置された電源コネクター１０２に差し込まれることができ、その作動原理は上述した１Ｕサーバー８０の場合と同じであるので、ここでは詳しい説明は省略する。他の実施形態において、第一、第三サーバー背板部材９０４、９０６の第三側辺７０２に設置されたボードエッジコネクター２０２及び第三、第四サーバー背板９０６、９０７の第一側辺７００に設置されたボードエッジコネクター１０１は省くことができる。
【００１７】
上記したサーバー背板部材によれば、サーバー背板部材同士を容易に組み合わせることができ、そして、その組み合わせるサーバー背板部材の数を変更することで、異なる組合せサーバー背板を形成することができ、異なる類型のサーバーにおける異なる数量のハードディスクに接続することができる。よって、対象のサーバーの類型に応じて、サーバー背版部材を適宜組み合わせればよく、設計及び製造コストを大幅に低減させることができる。
【００１８】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００１９】
１０  差込部
１１  導電シート
５０  ソケット本体
５１  金属シート
５２  収容空間
６０  電源インターフェース
６１  信号インターフェース
８０  １Ｕサーバー
８２  ２Ｕサーバー
８１  ハードディスク
９０，９０２，９０３，９０４，９０５，９０６，９０７  サーバー背板部材
１００  板本体
１０１，２０１  ボードエッジコネクター
１０２  電源コネクター
１０４  第一コネクター
１０５，２０５  ソケット
１０６  第二コネクター
７００  第一側辺
７０１  第二側辺
７０２  第三側辺
７０３  第四側辺
７０４  凹部
９００  第一面（一方側の面）
９０１  第二面（他方側の面）
【図１】
2014102824.tif 000003
【図２】
2014102824.tif 000004
【図３】
2014102824.tif 000005
【図４】
2014102824.tif 000006
【図５】
2014102824.tif 000007